(57)【要約】【課題】  利用者本人の運転免許証から免許証情報を正しく取得することができるアルコール測定システムを提供する。【解決手段】  アルコール測定システム１０は、ＩＣカード運転免許証９０の情報である免許証情報９２を利用するアルコール測定システムであって、利用者を生体認証によって認証する生体認証機器４０と、ＩＣカード運転免許証９０のＩＣチップ９１から免許証情報９２を読み取るＩＣカードリーダ３０と、ＩＣチップ９１から免許証情報９２を読み取るための暗証番号１０ｂを利用者毎に記憶するサーバ５０と、生体認証機器４０によって認証された利用者に対してサーバ５０によって記憶されている暗証番号１０ｂを取得し、取得した暗証番号１０ｂを利用してＩＣカードリーダ３０にＩＣチップ９１から免許証情報９２を読み取らせるＰＣ２０とを備えていることを特徴とする。【選択図】  図１
2012022376.tif 000002
【特許請求の範囲】
【請求項１】
運転免許証の情報である免許証情報を利用するアルコール測定システムであって、
利用者を生体認証によって認証する生体認証部と、前記運転免許証のＩＣチップから前記免許証情報を読み取る情報読取部と、前記ＩＣチップから前記免許証情報を読み取るための暗証番号を前記利用者毎に記憶する暗証番号記憶部と、前記生体認証部によって認証された前記利用者に対して前記暗証番号記憶部によって記憶されている前記暗証番号を取得する暗証番号取得手段と、前記暗証番号取得手段によって取得された前記暗証番号を利用して前記情報読取部に前記ＩＣチップから前記免許証情報を読み取らせる読取制御手段とを備えていることを特徴とするアルコール測定システム。
【請求項２】
前記利用者の呼気中および血中の少なくとも一方のアルコール濃度の測定を行うアルコール測定部と、前記アルコール測定部の測定結果を記憶する測定結果記憶部と、前記情報読取部によって読み取られた前記免許証情報を前記測定結果と関連付けて前記測定結果記憶部に記憶させる記憶制御手段とを備えていることを特徴とする請求項１に記載のアルコール測定システム。
【請求項３】
前記記憶制御手段は、前記情報読取部によって読み取られた前記免許証情報が所定の条件を満たしているときのみ、前記免許証情報を前記測定結果と関連付けて前記測定結果記憶部に記憶させることを特徴とする請求項２に記載のアルコール測定システム。
【請求項４】
前記アルコール測定部による前記測定を行わせる測定制御手段を備えており、
前記測定制御手段は、前記情報読取部によって読み取られた前記免許証情報が所定の条件を満たしているときのみ、前記アルコール測定部に前記測定を行わせることを特徴とする請求項２または請求項３に記載のアルコール測定システム。
【請求項５】
前記利用者の呼気中および血中の少なくとも一方のアルコール濃度の測定を行うアルコール測定部と、前記アルコール測定部による前記測定を行わせる測定制御手段とを備えており、
前記測定制御手段は、前記情報読取部によって読み取られた前記免許証情報が所定の条件を満たしているときのみ、前記アルコール測定部に前記測定を行わせることを特徴とする請求項１に記載のアルコール測定システム。
【請求項６】
利用者を生体認証によって認証する生体認証部と、運転免許証の情報である免許証情報を前記運転免許証のＩＣチップから読み取る情報読取部と、前記ＩＣチップから前記免許証情報を読み取るための暗証番号を前記利用者毎に記憶する暗証番号記憶部とを備えており、前記免許証情報を利用するアルコール測定システムのコンピュータが実行するアルコール測定プログラムであって、
前記生体認証部によって認証された前記利用者に対して前記暗証番号記憶部によって記憶されている前記暗証番号を取得する暗証番号取得手段と、前記暗証番号取得手段によって取得された前記暗証番号を利用して前記情報読取部に前記ＩＣチップから前記免許証情報を読み取らせる読取制御手段として前記コンピュータを機能させることを特徴とするアルコール測定プログラム。
【発明の詳細な説明】
【技術分野】
【０００１】
本発明は、利用者の呼気中および血中の少なくとも一方のアルコール濃度を測定することができるアルコール測定システムに関する。
【背景技術】
【０００２】
従来のアルコール測定システムとして、デジタルカメラやイメージリーダなどの免許証リーダによって運転免許証の画像を読み込み、読み込んだ画像からＯＣＲ（Ｏｐｔｉｃａｌ  Ｃｈａｒａｃｔｅｒ  Ｒｅｃｏｇｎｉｔｉｏｎ）ソフトウェアによって文字を認識することによって運転免許証に記載されている運転免許証番号、生年月日、有効年度などの免許証情報を取得するアルコール検知システムが知られている（例えば、特許文献１参照。）。このアルコール検知システムは、運転免許証番号が登録されていて運転免許証が有効期限内であることを運転免許証から取得した免許証情報に基づいて確認したときに、利用者の呼気中のアルコール濃度を測定するものである。
【先行技術文献】
【特許文献】
【０００３】
【特許文献１】特開２００５−１５７５９９号公報
【発明の概要】
【発明が解決しようとする課題】
【０００４】
しかしながら、従来のアルコール測定システムは、運転免許証からＯＣＲソフトウェアによって免許証情報を取得するので、運転免許証の汚れ具合やＯＣＲソフトウェアの性能などの影響によって、運転免許証から免許証情報を正しく取得することができない場合があるという問題がある。また、従来のアルコール測定システムにおいては、誰でも免許証リーダに任意の運転免許証の画像を読み込ませることができるので、利用者が他人の運転免許証を用いて他人になりすますことができるという問題もある。
【０００５】
そこで、本発明は、利用者本人の運転免許証から免許証情報を正しく取得することができるアルコール測定システムを提供することを目的とする。
【課題を解決するための手段】
【０００６】
本発明のアルコール測定システムは、運転免許証の情報である免許証情報を利用するアルコール測定システムであって、利用者を生体認証によって認証する生体認証部と、前記運転免許証のＩＣチップから前記免許証情報を読み取る情報読取部と、前記ＩＣチップから前記免許証情報を読み取るための暗証番号を前記利用者毎に記憶する暗証番号記憶部と、前記生体認証部によって認証された前記利用者に対して前記暗証番号記憶部によって記憶されている前記暗証番号を取得する暗証番号取得手段と、前記暗証番号取得手段によって取得された前記暗証番号を利用して前記情報読取部に前記ＩＣチップから前記免許証情報を読み取らせる読取制御手段とを備えていることを特徴とする。
【０００７】
この構成により、本発明のアルコール測定システムは、運転免許証のＩＣチップから免許証情報を読み取るので、運転免許証から免許証情報を正しく取得することができる。また、本発明のアルコール測定システムは、生体認証によって認証された利用者に対して記憶されている暗証番号を利用して運転免許証のＩＣチップから免許証情報を読み取るので、利用者が他人の運転免許証を用いた場合、運転免許証から免許証情報を取得することができない。したがって、本発明のアルコール測定システムは、利用者本人の運転免許証から免許証情報を正しく取得することができる。
【０００８】
また、本発明のアルコール測定システムは、前記利用者の呼気中および血中の少なくとも一方のアルコール濃度の測定を行うアルコール測定部と、前記アルコール測定部の測定結果を記憶する測定結果記憶部と、前記情報読取部によって読み取られた前記免許証情報を前記測定結果と関連付けて前記測定結果記憶部に記憶させる記憶制御手段とを備えていても良い。
【０００９】
この構成により、本発明のアルコール測定システムは、利用者本人の運転免許証から取得された正しい免許証情報を、利用者のアルコール濃度の測定結果と関連付けて記憶することができる。
【００１０】
また、本発明のアルコール測定システムの前記記憶制御手段は、前記情報読取部によって読み取られた前記免許証情報が所定の条件を満たしているときのみ、前記免許証情報を前記測定結果と関連付けて前記測定結果記憶部に記憶させても良い。
【００１１】
この構成により、本発明のアルコール測定システムは、運転免許証から取得された免許証情報が所定の条件を満たしていないときに、無駄な記憶を行うことを防止することができる。
【００１２】
また、本発明のアルコール測定システムは、前記アルコール測定部による前記測定を行わせる測定制御手段を備えており、前記測定制御手段は、前記情報読取部によって読み取られた前記免許証情報が所定の条件を満たしているときのみ、前記アルコール測定部に前記測定を行わせても良い。
【００１３】
この構成により、本発明のアルコール測定システムは、運転免許証から取得された免許証情報が所定の条件を満たしていないときに、無駄な測定を行うことを防止することができる。
【００１４】
また、本発明のアルコール測定システムは、前記利用者の呼気中および血中の少なくとも一方のアルコール濃度の測定を行うアルコール測定部と、前記アルコール測定部による前記測定を行わせる測定制御手段とを備えており、前記測定制御手段は、前記情報読取部によって読み取られた前記免許証情報が所定の条件を満たしているときのみ、前記アルコール測定部に前記測定を行わせても良い。
【００１５】
この構成により、本発明のアルコール測定システムは、運転免許証から取得された免許証情報が所定の条件を満たしていないときに、無駄な測定を行うことを防止することができる。
【００１６】
本発明のアルコール測定プログラムは、利用者を生体認証によって認証する生体認証部と、運転免許証の情報である免許証情報を前記運転免許証のＩＣチップから読み取る情報読取部と、前記ＩＣチップから前記免許証情報を読み取るための暗証番号を前記利用者毎に記憶する暗証番号記憶部とを備えており、前記免許証情報を利用するアルコール測定システムのコンピュータが実行するアルコール測定プログラムであって、前記生体認証部によって認証された前記利用者に対して前記暗証番号記憶部によって記憶されている前記暗証番号を取得する暗証番号取得手段と、前記暗証番号取得手段によって取得された前記暗証番号を利用して前記情報読取部に前記ＩＣチップから前記免許証情報を読み取らせる読取制御手段として前記コンピュータを機能させることを特徴とする。
【００１７】
この構成により、本発明のアルコール測定プログラムを実行するコンピュータは、運転免許証のＩＣチップから免許証情報を読み取るので、運転免許証から免許証情報を正しく取得することができる。また、本発明のアルコール測定プログラムを実行するコンピュータは、生体認証によって認証された利用者に対して記憶されている暗証番号を利用して運転免許証のＩＣチップから免許証情報を読み取るので、利用者が他人の運転免許証を用いた場合、運転免許証から免許証情報を取得することができない。したがって、本発明のアルコール測定プログラムを実行するコンピュータは、利用者本人の運転免許証から免許証情報を正しく取得することができる。
【発明の効果】
【００１８】
本発明のアルコール測定システムは、利用者本人の運転免許証から免許証情報を正しく取得することができる。
【図面の簡単な説明】
【００１９】
【図１】本発明の一実施の形態に係るアルコール測定システムのハードウェア構成図である。
【図２】図１に示すＰＣの機能ブロック図である。
【図３】図１に示すＰＣの動作のフローチャートである。
【発明を実施するための形態】
【００２０】
以下、本発明の一実施の形態について、図面を用いて説明する。
【００２１】
まず、本実施の形態に係るアルコール測定システムの構成について説明する。
【００２２】
図１は、本実施の形態に係るアルコール測定システム１０のハードウェア構成図である。
【００２３】
図１に示すアルコール測定システム１０は、例えばタクシー、バス、トラックなどの車両を使用する運送会社に設置されて、車両の運転者が利用者となって、利用者が予め登録されている者であることの他、利用者が車両を運転するに際して運転免許証に問題が無く飲酒状態でもないことを確認することができるシステムである。
【００２４】
アルコール測定システム１０は、本発明のコンピュータとしてのＰＣ(Ｐｅｒｓｏｎａｌ  Ｃｏｍｐｕｔｅｒ)２０と、ＰＣ２０に接続されて本発明の運転免許証としてのＩＣカード運転免許証９０のＩＣチップ９１から免許証情報９２を読み取る本発明の情報読取部としてのＩＣカードリーダ３０と、ＰＣ２０に接続されて利用者の生体情報を利用した生体認証によって利用者を認証する本発明の生体認証部としての生体認証機器４０と、ＬＡＮ（Ｌｏｃａｌ  Ａｒｅａ  Ｎｅｔｗｏｒｋ）やインターネットなどのネットワーク１１経由でＰＣ２０に接続されて各種のデータを記憶しているサーバ５０と、ＰＣ２０に接続されて利用者の呼気中のアルコール濃度の測定を行う本発明のアルコール測定部としてのアルコール測定器６０とを備えている。
【００２５】
免許証情報９２は、ＩＣカード運転免許証９０の運転免許証番号と、ＩＣカード運転免許証９０の有効期間とを含んでいる。
【００２６】
ＰＣ２０は、例えば、ＰＣ２０全体を制御するＣＰＵ（Ｃｅｎｔｒａｌ  Ｐｒｏｃｅｓｓｉｎｇ  Ｕｎｉｔ）２１と、プログラムや各種のデータを記憶しているＲＯＭ(Ｒｅａｄ  Ｏｎｌｙ  Ｍｅｍｏｒｙ)２２と、本発明のアルコール測定プログラムを含む各種のプログラムや各種のデータを記憶しているＨＤＤ(Ｈａｒｄ  Ｄｉｓｋ  Ｄｒｉｖｅ)２３と、ＣＰＵ２１によってプログラムが実行されるときにプログラムや各種のデータを一時的に記憶する作業領域として用いられるＲＡＭ(Ｒａｎｄｏｍ  Ａｃｃｅｓｓ  Ｍｅｍｏｒｙ)２４とを備えている。
【００２７】
生体認証機器４０は、利用者の生体情報１０ａを利用者毎に識別情報と関連付けて予め記憶している。生体情報１０ａとしては、指紋、虹彩パターン、手や指の静脈の形状など、利用者を認証することができる情報であれば、任意の生体情報が採用されることが可能である。
【００２８】
サーバ５０は、ＩＣカード運転免許証９０のＩＣチップ９１から免許証情報９２を読み取るための暗証番号１０ｂを利用者毎に識別情報と関連付けて予め記憶しており、本発明の暗証番号記憶部を構成している。また、サーバ５０は、利用者のＩＤ番号と氏名とを含む利用者情報１０ｃを利用者の運転免許証番号に関連付けて予め記憶している。また、サーバ５０は、アルコール測定器６０の測定結果１０ｄを記憶するようになっており、本発明の測定結果記憶部を構成している。
【００２９】
図２は、ＰＣ２０の機能ブロック図である。
【００３０】
図２に示すように、ＰＣ２０は、本発明のアルコール測定プログラムを実行することによって、生体認証機器４０によって認証された利用者に対してサーバ５０によって記憶されている暗証番号１０ｂを取得する暗証番号取得手段２０ａと、暗証番号取得手段２０ａによって取得された暗証番号１０ｂを利用してＩＣカードリーダ３０にＩＣチップ９１から免許証情報９２を読み取らせる読取制御手段２０ｂと、アルコール測定器６０による測定を行わせる測定制御手段２０ｃと、ＩＣカードリーダ３０によって読み取られた免許証情報９２をアルコール測定器６０の測定結果１０ｄと関連付けてサーバ５０に記憶させる記憶制御手段２０ｄとして機能する。
【００３１】
図３は、ＰＣ２０の動作のフローチャートである。
【００３２】
利用者がＩＣカードリーダ３０にＩＣカード運転免許証９０を設置すると、ＩＣカードリーダ３０は、ＩＣカード運転免許証９０を検出し、ＩＣカード運転免許証９０を検出したことの通知をＰＣ２０に送信する。ＰＣ２０は、この通知をＩＣカードリーダ３０から受信すると、図３に示す処理を開始する。
【００３３】
図３に示すように、ＰＣ２０は、生体認証機器４０から生体認証の結果を受信したか否かを判断する（Ｓ１０１）。ここで、利用者が生体認証機器４０に生体情報を読み取らせると、生体認証機器４０は、読み取った生体情報と、予め記憶している生体情報１０ａとに基づいて、生体認証によって利用者の認証を行う。そして、生体認証機器４０は、生体認証が成功した場合には、認証した利用者の識別情報を生体認証の結果としてＰＣ２０に送信する。一方、生体認証機器４０は、生体認証が失敗した場合には、生体認証が失敗した旨を生体認証の結果としてＰＣ２０に送信する。
【００３４】
ＰＣ２０は、生体認証機器４０から生体認証の結果を受信していないとＳ１０１において判断すると、図３に示す処理を開始してから所定の時間（例えば１分間）が経過したか否かを判断する（Ｓ１０２）。
【００３５】
ＰＣ２０は、所定の時間が経過していないとＳ１０２において判断すると、再びＳ１０１の処理に戻る。
【００３６】
ＰＣ２０は、生体認証機器４０から生体認証の結果を受信したとＳ１０１において判断すると、生体認証機器４０から受信した生体認証の結果に基づいて、生体認証機器４０による生体認証が成功したか否かを判断する（Ｓ１０３）。
【００３７】
生体認証が成功したとＳ１０３においてＰＣ２０が判断すると、ＰＣ２０の暗証番号取得手段２０ａは、生体認証機器４０から受信した利用者の識別情報をネットワーク１１経由でサーバ５０に送信することによって、サーバ５０から利用者の暗証番号１０ｂを取得する（Ｓ１０４）。ここで、サーバ５０は、ＰＣ２０から利用者の識別情報を受信すると、受信した識別番号に関連付けて記憶している暗証番号１０ｂを読み出し、読み出した暗証番号１０ｂをネットワーク１１経由でＰＣ２０に送信する。
【００３８】
次いで、ＰＣ２０の読取制御手段２０ｂは、Ｓ１０４において暗証番号取得手段２０ａによって取得された暗証番号１０ｂをＩＣカードリーダ３０に送信することによって、ＩＣカードリーダ３０による免許証情報９２の読み取りを実行する（Ｓ１０５）。ここで、ＩＣカードリーダ３０は、ＰＣ２０から暗証番号１０ｂを受信すると、受信した暗証番号１０ｂを利用してＩＣカード運転免許証９０のＩＣチップ９１からの免許証情報９２の読み取りを実行する。そして、ＩＣカードリーダ３０は、ＰＣ２０から受信した暗証番号１０ｂがＩＣカード運転免許証９０の暗証番号である場合には、ＩＣカード運転免許証９０のＩＣチップ９１からの免許証情報９２の読取りに成功し、読み取った免許証情報９２を読み取りの結果としてＰＣ２０に送信する。一方、ＩＣカードリーダ３０は、ＰＣ２０から受信した暗証番号１０ｂがＩＣカード運転免許証９０の暗証番号ではない場合には、ＩＣカード運転免許証９０のＩＣチップ９１からの免許証情報９２の読取りに失敗し、読み取りに失敗した旨を読み取りの結果としてＰＣ２０に送信する。
【００３９】
次いで、ＰＣ２０は、ＩＣカードリーダ３０から受信した読み取りの結果に基づいて、ＩＣカードリーダ３０による免許証情報９２の読み取りが成功したか否かを判断する（Ｓ１０６）。
【００４０】
ＰＣ２０は、免許証情報９２の読み取りが成功したとＳ１０６において判断すると、ＩＣカードリーダ３０から受信した免許証情報９２が所定の条件を満たしているか否かを判断する（Ｓ１０７）。ここで、所定の条件は、利用者に対して車両の運転を許可するための条件であり、任意に設定されることが可能であるが、例えば、サーバ５０が利用者情報１０ｃと関連付けて記憶している運転免許証番号に免許証情報９２内の運転免許証番号と同一の番号が存在することや、現時点が免許証情報９２内の有効期間内であることである。
【００４１】
ＰＣ２０は、免許証情報９２が所定の条件を満たしているとＳ１０７において判断すると、ＩＣカードリーダ３０から受信した免許証情報９２内の運転免許証番号をネットワーク１１経由でサーバ５０に送信することによって、サーバ５０から利用者の利用者情報１０ｃを取得する（Ｓ１０８）。ここで、サーバ５０は、ＰＣ２０から運転免許証番号を受信すると、受信した運転免許証番号に関連付けて記憶している利用者情報１０ｃを読み出し、読み出した利用者情報１０ｃをネットワーク１１経由でＰＣ２０に送信する。
【００４２】
次いで、ＰＣ２０の測定制御手段２０ｃは、Ｓ１０８において取得された利用者情報１０ｃをアルコール測定器６０に送信することによって、利用者の呼気中のアルコール濃度の測定をアルコール測定器６０に行わせる（Ｓ１０９）。ここで、アルコール測定器６０は、ＰＣ２０から利用者情報１０ｃを受信すると、利用者の呼気中のアルコール濃度の測定を開始し、測定終了後に測定結果１０ｄを利用者情報１０ｃとともにＰＣ２０に送信する。
【００４３】
次いで、ＰＣ２０の記憶制御手段２０ｄは、アルコール測定器６０から受信した測定結果１０ｄおよび利用者情報１０ｃを免許証情報９２と関連付けてネットワーク１１経由でサーバ５０に送信することによって、これらの情報をサーバ５０に記憶させて（Ｓ１１０）、図３に示す処理を終了する。したがって、サーバ５０には、利用者情報１０ｃと、免許証情報９２とに関連付けられた測定結果１０ｄが記憶される。
【００４４】
ＰＣ２０は、所定の時間が経過したとＳ１０２において判断するか、生体認証が失敗したとＳ１０３において判断するか、免許証情報９２の読み取りが失敗したとＳ１０６において判断すると、ＩＣカード運転免許証９０の暗証番号が入力されたか否かを判断する（Ｓ１１１）。ここで、利用者は、ＰＣ２０のキーボードなどの入力装置からＩＣカード運転免許証９０の暗証番号を直接入力することができる。
【００４５】
ＰＣ２０は、ＩＣカード運転免許証９０の暗証番号が入力されていないとＳ１１１において判断すると、Ｓ１０２、Ｓ１０３またはＳ１０６からＳ１１１に移行した時点から所定の時間（例えば２分間）が経過したか否かを判断する（Ｓ１１２）。
【００４６】
ＰＣ２０は、所定の時間が経過していないとＳ１１２において判断すると、再びＳ１１１の処理に戻る。
【００４７】
ＩＣカード運転免許証９０の暗証番号が入力されたとＳ１１１においてＰＣ２０が判断すると、ＰＣ２０の読取制御手段２０ｂは、入力された暗証番号をＩＣカードリーダ３０に送信することによって、Ｓ１０５の処理と同様に、ＩＣカードリーダ３０による免許証情報９２の読み取りを実行する（Ｓ１１３）。
【００４８】
次いで、ＰＣ２０は、Ｓ１０６の処理と同様に、ＩＣカードリーダ３０から受信した読み取りの結果に基づいて、ＩＣカードリーダ３０による免許証情報９２の読み取りが成功したか否かを判断する（Ｓ１１４）。
【００４９】
ＰＣ２０は、免許証情報９２の読み取りが成功したとＳ１１４において判断すると、Ｓ１０７の処理を実行する。
【００５０】
ＰＣ２０は、免許証情報９２が所定の条件を満たしてないとＳ１０７において判断するか、所定の時間が経過したとＳ１１２において判断するか、免許証情報９２の読み取りが失敗したとＳ１１４において判断すると、アルコール濃度の測定（Ｓ１０９）を実行することなく、図３に示す処理を終了する。
【００５１】
以上に説明したように、アルコール測定システム１０は、ＩＣカード運転免許証９０のＩＣチップ９１から免許証情報９２を読み取る（Ｓ１０５、Ｓ１１３）ので、ＩＣカード運転免許証９０から免許証情報９２を正しく取得することができる。また、アルコール測定システム１０は、生体認証によって認証された（Ｓ１０３でＹＥＳ）利用者に対して記憶されている暗証番号１０ｂを利用して（Ｓ１０４）ＩＣカード運転免許証９０のＩＣチップ９１から免許証情報９２を読み取る（Ｓ１０５）ので、利用者が他人のＩＣカード運転免許証９０を用いた場合、ＩＣカード運転免許証９０から免許証情報９２を取得することができない。したがって、アルコール測定システム１０は、利用者本人のＩＣカード運転免許証９０から免許証情報９２を正しく取得することができる。
【００５２】
また、アルコール測定システム１０は、利用者本人のＩＣカード運転免許証９０から取得された正しい免許証情報９２（Ｓ１０５）を、利用者のアルコール濃度の測定結果１０ｄと関連付けて記憶する（Ｓ１１０）ことができる。
【００５３】
また、アルコール測定システム１０は、ＩＣカードリーダ３０によって読み取られた免許証情報９２が所定の条件を満たしているときのみ（Ｓ１０７でＹＥＳ）、アルコール測定器６０に測定を行わせる（Ｓ１０９）ので、ＩＣカード運転免許証９０から取得された免許証情報９２が所定の条件を満たしていないときに、無駄な測定を行うことを防止することができる。
【００５４】
また、アルコール測定システム１０は、ＩＣカードリーダ３０によって読み取られた免許証情報９２が所定の条件を満たしているときのみ（Ｓ１０７でＹＥＳ）、免許証情報９２を測定結果１０ｄと関連付けてサーバ５０に記憶させる（Ｓ１１０）ので、ＩＣカード運転免許証９０から取得された免許証情報９２が所定の条件を満たしていないときに、無駄な記憶を行うことを防止することができる。
【００５５】
また、アルコール測定システム１０は、生体認証によって認証されたときに（Ｓ１０３でＹＥＳ）、サーバ５０から利用者の暗証番号１０ｂを取得する（Ｓ１０４）ことができるので、ＩＣカード運転免許証９０の暗証番号がキーボードなどの入力装置から利用者によって直接入力される場合（Ｓ１１１）と比較して、アルコール濃度の測定が実行されるまでの利用者の手間を低減することができる。
【００５６】
また、アルコール測定システム１０は、生体認証によって認証されたときに（Ｓ１０３でＹＥＳ）、サーバ５０から利用者の暗証番号１０ｂを取得する（Ｓ１０４）ことができるので、ＩＣカード運転免許証９０の暗証番号を利用者が誤入力することを防止することができる。
【００５７】
利用者がＩＣカード運転免許証９０の暗証番号をキーボードなどの入力装置から直接入力する場合（Ｓ１１１）、利用者の入力動作が他人に観察されることによって、利用者のＩＣカード運転免許証９０の暗証番号が他人に不正に取得される可能性がある。しかしながら、アルコール測定システム１０は、生体認証によって認証されたときに（Ｓ１０３でＹＥＳ）、サーバ５０から利用者の暗証番号１０ｂを取得する（Ｓ１０４）ことができるので、ＩＣカード運転免許証９０の暗証番号がキーボードなどの入力装置から利用者によって直接入力される場合（Ｓ１１１）と比較して、ＩＣカード運転免許証９０の暗証番号が他人に不正に取得される可能性を低減することができる。
【００５８】
また、アルコール測定システム１０は、生体認証が成功し（Ｓ１０３でＹＥＳ）、免許証情報９２の読み取りが成功し（Ｓ１０６でＹＥＳ）、免許証情報９２が所定の条件を満たす（Ｓ１０７でＹＥＳ）場合、利用者がＩＣカードリーダ３０にＩＣカード運転免許証９０を設置して生体認証機器４０に生体情報を読み取らせるだけで、自動的にアルコール濃度の測定を開始する（Ｓ１０９）ことができる。
【００５９】
また、アルコール測定システム１０は、暗証番号が入力され（Ｓ１１１でＹＥＳ）、免許証情報９２の読み取りが成功し（Ｓ１１４でＹＥＳ）、免許証情報９２が所定の条件を満たす（Ｓ１０７でＹＥＳ）場合、利用者がＩＣカードリーダ３０にＩＣカード運転免許証９０を設置してＩＣカード運転免許証９０の暗証番号を直接入力するだけで、自動的にアルコール濃度の測定を開始する（Ｓ１０９）ことができる。
【００６０】
また、アルコール測定システム１０は、生体認証によって認証されたときにサーバ５０から利用者の暗証番号１０ｂを取得する（Ｓ１０４）ことができるだけでなく、ＩＣカード運転免許証９０の暗証番号がキーボードなどの入力装置から利用者によって直接入力される（Ｓ１１１）こともできるので、生体認証機器４０に生体情報１０ａが記憶されていない利用者や、サーバ５０に暗証番号１０ｂが記憶されていない利用者であっても、アルコール濃度の測定を実行させることができる。
【００６１】
なお、アルコール測定システム１０は、ＩＣカード運転免許証９０の暗証番号がキーボードなどの入力装置から利用者によって直接入力される構成になっていなくても良い。例えば、ＰＣ２０は、所定の時間が経過したとＳ１０２において判断するか、生体認証が失敗したとＳ１０３において判断するか、免許証情報９２の読み取りが失敗したとＳ１０６において判断すると、Ｓ１１１の処理を実行することなく、図３に示す処理を終了するようになっていても良い。
【００６２】
また、アルコール測定システム１０は、免許証情報９２が所定の条件を満たしているか否かを判断する（Ｓ１０７）ときと、測定結果１０ｄを免許証情報９２と関連付けてサーバ５０に記憶させる（Ｓ１１０）ときとにおいて、免許証情報９２を利用するようになっているが、これらの２つの利用態様以外の態様で免許証情報９２を利用するようになっていても良い。
【００６３】
また、アルコール測定システム１０は、アルコール濃度の測定を行うか否かの判断に免許証情報９２を利用する（Ｓ１０７）ので、生体認証を利用した免許証情報９２の読み取りがアルコール濃度の測定の前に行われるようになっている。しかしながら、アルコール測定システム１０は、免許証情報９２を利用してアルコール濃度の測定を行うか否かを判断するようになっていない場合、生体認証を利用した免許証情報９２の読み取りがアルコール濃度の測定の後に行われるようになっていても良い。生体認証を利用した免許証情報９２の読み取りがアルコール濃度の測定の後に行われるようになっている場合、読み取られた免許証情報９２は、例えば、アルコール濃度の測定結果１０ｄに関連付けられて記憶されることによって利用されることができる。
【００６４】
また、アルコール測定システム１０は、免許証情報９２を測定結果１０ｄに関連付けてサーバ５０に記憶させる（Ｓ１１０）ようになっているが、測定結果１０ｄに関連付けて免許証情報９２を記憶するようになっていなくても良い。
【００６５】
暗証番号１０ｂは、本実施の形態においてサーバ５０に記憶されているが、サーバ５０ではなくＰＣ２０に記憶されていても良い。ＰＣ２０は、暗証番号１０ｂを利用者毎に識別情報と関連付けて予め記憶している場合、本発明の暗証番号記憶部を構成することになる。
【００６６】
同様に、利用者情報１０ｃも、本実施の形態においてサーバ５０に記憶されているが、サーバ５０ではなくＰＣ２０に記憶されていても良い。
【００６７】
同様に、測定結果１０ｄも、本実施の形態においてサーバ５０に記憶されるようになっているが、ＰＣ２０、サーバ５０およびアルコール測定器６０のうち少なくとも１つに記憶されるようになっていれば良い。ＰＣ２０やアルコール測定器６０は、測定結果１０ｄを記憶するようになっている場合、本発明の測定結果記憶部を構成することになる。
【００６８】
暗証番号１０ｂおよび利用者情報１０ｃがサーバ５０ではなくＰＣ２０に予め記憶されていて、測定結果１０ｄもサーバ５０ではなくＰＣ２０およびアルコール測定器６０のうち少なくとも１つに記憶されるようになっている場合、アルコール測定システム１０は、サーバ５０を備えていなくても良い。
【００６９】
本発明の生体認証部は、本実施の形態において生体認証機器４０によって構成されているが、生体認証機器４０と、他の装置との組み合わせによって構成されていても良い。例えば、ＰＣ２０が利用者の生体情報１０ａを利用者毎に識別情報と関連付けて予め記憶していて、ＰＣ２０に記憶されている生体情報１０ａを生体認証機器４０が利用するようになっている場合、本発明の生体認証部は、ＰＣ２０と、生体認証機器４０との組み合わせによって構成されることになる。
【００７０】
同様に、本発明の情報読取部も、本実施の形態においてＩＣカードリーダ３０によって構成されているが、ＩＣカードリーダ３０と、他の装置との組み合わせによって構成されていても良い。
【００７１】
同様に、本発明のアルコール測定部も、本実施の形態においてアルコール測定器６０によって構成されているが、アルコール測定器６０と、他の装置との組み合わせによって構成されていても良い。
【００７２】
アルコール測定システム１０は、本発明の暗証番号取得手段、読取制御手段、記憶制御手段および測定制御手段を構成しているＰＣ２０と、本発明の情報読取部を構成しているＩＣカードリーダ３０と、本発明の生体認証部を構成している生体認証機器４０と、本発明の暗証番号記憶部を構成しているサーバ５０と、本発明のアルコール測定部を構成しているアルコール測定器６０という５つの装置によって構成されているが、例示した構成以外の構成によって本発明の各要素を構成するようになっていても良い。例えば、本発明のアルコール測定システムは、本発明の各要素を全て備えている１つのアルコール測定器として構成されていても良い。
【００７３】
なお、アルコール測定器６０は、本実施の形態において利用者の呼気中のアルコール濃度の測定を行うものであるが、利用者の血中のアルコール濃度の測定を行うものであっても良い。
【符号の説明】
【００７４】
１０  アルコール測定システム
１０ｂ  暗証番号
１０ｄ  測定結果
２０  ＰＣ（暗証番号記憶部、測定結果記憶部、コンピュータ）
２０ａ  暗証番号取得手段
２０ｂ  読取制御手段
２０ｃ  測定制御手段
２０ｄ  記憶制御手段
３０  ＩＣカードリーダ（情報読取部）
４０  生体認証機器（生体認証部）
５０  サーバ（暗証番号記憶部、測定結果記憶部）
６０  アルコール測定器（アルコール測定部、測定結果記憶部）
９０  ＩＣカード運転免許証（運転免許証）
９１  ＩＣチップ
９２  免許証情報
【図１】
2012022376.tif 000003
【図２】
2012022376.tif 000004
【図３】
2012022376.tif 000005
【手続補正書】
【提出日】平成23年3月25日(2011.3.25)
【手続補正１】
【補正対象書類名】特許請求の範囲
【補正対象項目名】全文
【補正方法】変更
【補正の内容】
【特許請求の範囲】
【請求項１】
運転免許証の情報である免許証情報を利用するアルコール測定システムであって、
利用者を生体認証によって認証する生体認証部と、前記運転免許証のＩＣチップから前記免許証情報を読み取る情報読取部と、前記ＩＣチップから前記免許証情報を読み取るための暗証番号を前記利用者毎に記憶する暗証番号記憶部とを備えており、
前記情報読取部は、受信した前記暗証番号が前記運転免許証の暗証番号である場合に前記ＩＣチップから前記免許証情報を読み取り、
前記アルコール測定システムは、前記生体認証部によって認証された前記利用者に対して前記暗証番号記憶部によって記憶されている前記暗証番号を取得する暗証番号取得手段と、前記暗証番号取得手段によって取得された前記暗証番号を前記情報読取部に送信することによって利用して前記情報読取部に前記ＩＣチップから前記免許証情報を読み取らせる読取制御手段とを備えていることを特徴とするアルコール測定システム。
【請求項２】
前記暗証番号取得手段および前記読取制御手段は、同一のコンピュータによって実現されていることを特徴とする請求項１に記載のアルコール測定システム。
【請求項３】
前記利用者の呼気中および血中の少なくとも一方のアルコール濃度の測定を行うアルコール測定部と、前記アルコール測定部の測定結果を記憶する測定結果記憶部と、前記情報読取部によって読み取られた前記免許証情報を前記測定結果と関連付けて前記測定結果記憶部に記憶させる記憶制御手段とを備えていることを特徴とする請求項１または請求項２に記載のアルコール測定システム。
【請求項４】
前記記憶制御手段は、前記情報読取部によって読み取られた前記免許証情報が前記利用者に対して車両の運転を許可するための所定の条件を満たしているときのみ、前記免許証情報を前記測定結果と関連付けて前記測定結果記憶部に記憶させることを特徴とする請求項３に記載のアルコール測定システム。
【請求項５】
前記アルコール測定部による前記測定を行わせる測定制御手段を備えており、
前記測定制御手段は、前記情報読取部によって読み取られた前記免許証情報が前記利用者に対して車両の運転を許可するための所定の条件を満たしているときのみ、前記アルコール測定部に前記測定を行わせることを特徴とする請求項３または請求項４に記載のアルコール測定システム。
【請求項６】
前記利用者の呼気中および血中の少なくとも一方のアルコール濃度の測定を行うアルコール測定部と、前記アルコール測定部による前記測定を行わせる測定制御手段とを備えており、
前記測定制御手段は、前記情報読取部によって読み取られた前記免許証情報が前記利用者に対して車両の運転を許可するための所定の条件を満たしているときのみ、前記アルコール測定部に前記測定を行わせることを特徴とする請求項１または請求項２に記載のアルコール測定システム。
【請求項７】
利用者を生体認証によって認証する生体認証部と、運転免許証の情報である免許証情報を前記運転免許証のＩＣチップから読み取る情報読取部と、前記ＩＣチップから前記免許証情報を読み取るための暗証番号を前記利用者毎に記憶する暗証番号記憶部とを備えており、前記免許証情報を利用し、前記情報読取部は、受信した前記暗証番号が前記運転免許証の暗証番号である場合に前記ＩＣチップから前記免許証情報を読み取るアルコール測定システムのコンピュータが実行するアルコール測定プログラムであって、
前記生体認証部によって認証された前記利用者に対して前記暗証番号記憶部によって記憶されている前記暗証番号を取得する暗証番号取得手段と、前記暗証番号取得手段によって取得された前記暗証番号を前記情報読取部に送信することによって利用して前記情報読取部に前記ＩＣチップから前記免許証情報を読み取らせる読取制御手段として前記コンピュータを機能させることを特徴とするアルコール測定プログラム。
【手続補正書】
【提出日】平成23年10月31日(2011.10.31)
【手続補正１】
【補正対象書類名】特許請求の範囲
【補正対象項目名】全文
【補正方法】変更
【補正の内容】
【特許請求の範囲】
【請求項１】
運転免許証の情報である免許証情報を利用するアルコール測定システムであって、
利用者を生体認証によって認証する生体認証部と、前記運転免許証のＩＣチップから前記免許証情報を読み取る情報読取部と、前記ＩＣチップから前記免許証情報を読み取るための暗証番号を前記利用者毎に記憶する暗証番号記憶部とを備えており、
前記情報読取部は、受信した前記暗証番号が前記運転免許証の暗証番号である場合に前記ＩＣチップから前記免許証情報を読み取り、
前記アルコール測定システムは、前記生体認証部によって認証された前記利用者に対して前記暗証番号記憶部によって記憶されている前記暗証番号を取得する暗証番号取得手段と、前記暗証番号取得手段によって取得された前記暗証番号を前記情報読取部に送信することによって利用して前記情報読取部に前記ＩＣチップから前記免許証情報を読み取らせる読取制御手段と、前記利用者の呼気中および血中の少なくとも一方のアルコール濃度の測定を行うアルコール測定部と、前記アルコール測定部による前記測定を行わせる測定制御手段とを備えており、
前記測定制御手段は、前記情報読取部によって読み取られた前記免許証情報が前記利用者に対して車両の運転を許可するための所定の条件を満たしているときのみ、前記アルコール測定部に前記測定を行わせることを特徴とするアルコール測定システム。
【請求項２】
前記暗証番号取得手段および前記読取制御手段は、同一のコンピュータによって実現されていることを特徴とする請求項１に記載のアルコール測定システム。
【請求項３】
前記アルコール測定部の測定結果を記憶する測定結果記憶部と、前記情報読取部によって読み取られた前記免許証情報を前記測定結果と関連付けて前記測定結果記憶部に記憶させる記憶制御手段とを備えていることを特徴とする請求項１または請求項２に記載のアルコール測定システム。
【請求項４】
前記記憶制御手段は、前記情報読取部によって読み取られた前記免許証情報が前記利用者に対して車両の運転を許可するための所定の条件を満たしているときのみ、前記免許証情報を前記測定結果と関連付けて前記測定結果記憶部に記憶させることを特徴とする請求項３に記載のアルコール測定システム。
【請求項５】
利用者を生体認証によって認証する生体認証部と、運転免許証の情報である免許証情報を前記運転免許証のＩＣチップから読み取る情報読取部と、前記ＩＣチップから前記免許証情報を読み取るための暗証番号を前記利用者毎に記憶する暗証番号記憶部と、前記利用者の呼気中および血中の少なくとも一方のアルコール濃度の測定を行うアルコール測定部とを備えており、前記免許証情報を利用し、前記情報読取部は、受信した前記暗証番号が前記運転免許証の暗証番号である場合に前記ＩＣチップから前記免許証情報を読み取るアルコール測定システムのコンピュータが実行するアルコール測定プログラムであって、
前記生体認証部によって認証された前記利用者に対して前記暗証番号記憶部によって記憶されている前記暗証番号を取得する暗証番号取得手段と、前記暗証番号取得手段によって取得された前記暗証番号を前記情報読取部に送信することによって利用して前記情報読取部に前記ＩＣチップから前記免許証情報を読み取らせる読取制御手段と、前記アルコール測定部による前記測定を行わせる測定制御手段として前記コンピュータを機能させ、
前記測定制御手段は、前記情報読取部によって読み取られた前記免許証情報が前記利用者に対して車両の運転を許可するための所定の条件を満たしているときのみ、前記アルコール測定部に前記測定を行わせることを特徴とするアルコール測定プログラム。